【手続補正書】
【提出日】平成27年8月19日(2015.8.19)
【手続補正１】
【補正対象書類名】特許請求の範囲
【補正対象項目名】全文
【補正方法】変更
【補正の内容】
【特許請求の範囲】
【請求項１】
移動体に搭載されるデジタル放送受信装置であって、
デジタル放送で送信される物理チャンネルの放送信号を受信するチューナ部と、
前記チューナ部で受信された放送信号の信号強度を検出する信号強度検出部と、
前記移動体の現在位置を検出する現在位置検出部と、
前記移動体の移動方向を検出する移動方向検出部と、
前記チューナ部を制御して前記物理チャンネルの受信可否を判定する受信可否判定部と、
前記物理チャンネルの受信可能エリアを示す受信可能エリア情報を記憶するエリア情報記憶部と、
前記受信可否判定部により前記物理チャンネルが受信可能と判定された場合に、前記信号強度検出部で検出された現在位置における放送信号の信号強度に基づいて延長距離を決定し、前記現在位置検出部で検出された現在位置から前記移動方向検出部で検出された移動方向に前記延長距離だけ離れた第１の位置を受信可能位置として決定し、前記エリア情報記憶部に記憶されている受信可能エリア情報を、当該受信可能エリア情報で示される前記物理チャンネルの受信可能エリアが前記受信可能位置まで拡大するように更新するエリア情報更新部と
を有することを特徴とするデジタル放送受信装置。
【請求項２】
前記チューナ部は、デジタル放送の複数の物理チャンネルのうち選択された物理チャンネルの放送信号を選局して受信し、
前記受信可否判定部は、前記チューナ部を制御して前記複数の物理チャンネルを順次選局するチャンネルスキャンを行い、前記各物理チャンネルの受信可否を判定し、
前記エリア情報記憶部は、前記物理チャンネル毎に当該物理チャンネルの受信可能エリアを示す受信可能エリア情報を記憶し、
前記エリア情報更新部は、前記チャンネルスキャン時に前記受信可否判定部によりいずれかの物理チャンネルが受信可能と判定された場合に、前記信号強度検出部で検出された当該物理チャンネルの現在位置における放送信号の信号強度に基づいて延長距離を決定し、前記現在位置検出部で検出された現在位置から前記移動方向検出部で検出された移動方向に前記延長距離だけ離れた第１の位置を受信可能位置として決定し、前記エリア情報記憶部に記憶されている当該物理チャンネルの受信可能エリア情報を、当該受信可能エリア情報で示される当該物理チャンネルの受信可能エリアが前記受信可能位置まで拡大するように更新することを特徴とする請求項１に記載のデジタル放送受信装置。
【請求項３】
前記エリア情報更新部は、前記現在位置周辺の地図情報に基づいて前記受信可能位置を決定することを特徴とする請求項１または２に記載のデジタル放送受信装置。
【請求項４】
前記エリア情報更新部は、前記物理チャンネルの放送信号を送信する送信所の位置を示す送信所情報に基づいて前記受信可能位置を決定することを特徴とする請求項１から３のいずれか１項に記載のデジタル放送受信装置。
【請求項５】
前記エリア情報更新部は、前記受信可否判定部により前記物理チャンネルが受信可能と判定された場合、前記地図情報に基づいて、前記現在位置と前記第１の位置との間に所定高さ以上の物体が存在するかを判断し、存在しないと判断された場合に、前記第１の位置を前記受信可能位置として決定することを特徴とする請求項３に記載のデジタル放送受信装置。
【請求項６】
前記エリア情報更新部は、前記現在位置と前記第１の位置との間に所定高さ以上の物体が存在すると判断された場合には、前記第１の位置の代わりに、前記現在位置から前記移動方向に離れた、前記第１の位置よりも前記現在位置側の位置を前記受信可能位置として決定することを特徴とする請求項５に記載のデジタル放送受信装置。
【請求項７】
前記エリア情報更新部は、前記受信可否判定部により前記物理チャンネルが受信可能と判定された場合、前記送信所情報に基づいて、前記送信所のうち前記現在位置の最寄りの送信所から前記第１の位置よりも近く、前記現在位置から前記第１の位置よりも前記移動方向に離れた第２の位置が存在するかを判断し、存在しない場合には前記第１の位置を前記受信可能位置として決定し、存在する場合には前記第１の位置の代わりに前記第２の位置を前記受信可能位置として決定することを特徴とする請求項４に記載のデジタル放送受信装置。
【請求項８】
前記エリア情報更新部は、前記第２の位置が存在する場合、前記現在位置周辺の地図情報に基づいて、前記現在位置と前記第２の位置との間に所定高さ以上の物体が存在するかを判断し、存在する場合には、前記第２の位置の代わりに、前記現在位置から前記移動方向に離れた、前記第２の位置よりも前記現在位置側の位置を前記受信可能位置として決定することを特徴とする請求項７に記載のデジタル放送受信装置。
【請求項９】
前記エリア情報更新部は、前記第２の位置が存在する場合、前記現在位置周辺の地図情報に基づいて、前記最寄りの送信所と前記第２の位置との間に所定高さ以上の物体が存在するかを判断し、存在する場合には、前記第２の位置の代わりに、前記現在位置から前記移動方向に離れた、前記第２の位置よりも前記現在位置側の位置を前記受信可能位置として決定することを特徴とする請求項７または８に記載のデジタル放送受信装置。
【請求項１０】
前記エリア情報更新部は、前記受信可否判定部により前記物理チャンネルが受信可能と判定された場合、前記信号強度検出部で今回検出された信号強度と、前記受信可否判定部により当該物理チャンネルが受信可能と前回判定された際に検出された信号強度との差分に応じて前記延長距離を決定することを特徴とする請求項１から９のいずれか１項に記載のデジタル放送受信装置。
【請求項１１】
前記受信可能エリア情報は、前記受信可能エリアを表す多角形を特定する多角形情報を含み、
前記エリア情報更新部は、前記受信可能エリア情報を更新する場合、前記多角形情報を、当該多角形情報で特定される多角形が拡大するように更新し、
前記拡大後の多角形は、前記拡大前の多角形に対して、前記受信可能位置を頂点とする追加の多角形を結合して得られる多角形であり、
前記追加の多角形は、前記受信可能位置と前記拡大前の多角形の２つの頂点とを結んだ２つの辺と、前記拡大前の多角形の辺とで形成される多角形であることを特徴とする請求項１から１０のいずれか１項に記載のデジタル放送受信装置。
【請求項１２】
前記エリア情報更新部は、前記信号強度検出部で検出された信号強度に応じて閾値距離を決定し、前記拡大前の多角形の頂点のうち前記受信可能位置からの距離が前記閾値距離よりも短い頂点が２つ以上存在する場合に、当該２つ以上の頂点の中から前記２つの頂点を決定することを特徴とする請求項１１に記載のデジタル放送受信装置。
【請求項１３】
前記エリア情報更新部は、前記物理チャンネルの放送信号を送信する送信所の位置を示す情報、または前記送信所の位置および前記送信所の送信電波強度を示す情報に基づいて、前記閾値距離を決定することを特徴とする請求項１２に記載のデジタル放送受信装置。
【請求項１４】
前記エリア情報更新部は、前記現在位置とその最寄りの送信所との間の距離、および前記最寄りの送信所の送信電波強度のうちの一方または両方に応じた乗数を求め、前記信号強度検出部で検出された信号強度に前記乗数を乗算することによって、前記閾値距離を決定することを特徴とする請求項１３に記載のデジタル放送受信装置。
【請求項１５】
前記エリア情報更新部は、前記拡大前の多角形の頂点のうち前記受信可能位置から最も近い２つの頂点を、前記拡大前の多角形の２つの頂点として決定することを特徴とする請求項１１に記載のデジタル放送受信装置。
【請求項１６】
前記エリア情報更新部は、前記信号強度検出部で検出された信号強度を、当該信号強度が検出されたときの天候を示す天候情報に基づいて補正し、当該補正後の信号強度を用いて前記受信可能エリア情報の更新を行うことを特徴とする請求項１から１５のいずれか１項に記載のデジタル放送受信装置。
【請求項１７】
前記エリア情報更新部は、前記受信可否判定部により前記物理チャンネルが受信可能と判定された場合に、前記物理チャンネルの受信可能エリア情報が前記エリア情報記憶部に既に記憶されているとき、前記受信可能エリア情報の更新を行い、記憶されていないときには、前記物理チャンネルの受信可能エリア情報を新規に作成して前記エリア情報記憶部に格納することを特徴とする請求項１から１６のいずれか１項に記載のデジタル放送受信装置。
【請求項１８】
前記チューナ部を制御して視聴対象の物理チャンネルを選局する選局制御部を有し、
前記選局制御部は、前記視聴対象の物理チャンネルの受信状態が悪化したと判断した場合に、前記エリア情報記憶部に記憶されている情報を参照し、前記視聴対象の物理チャンネルが提供している視聴中の番組と同一の番組を提供している可能性が高く、前記現在位置検出部で検出された現在位置で受信可能な代替の物理チャンネルを探し、前記代替の物理チャンネルが見つかった場合、前記チューナ部を制御して前記代替の物理チャンネルを選局することを特徴とする請求項１から１７のいずれか１項に記載のデジタル放送受信装置。
【請求項１９】
前記チューナ部を制御して視聴対象の物理チャンネルを選局する選局制御部を有し、
前記チューナ部は、第１のチューナ部および第２のチューナ部を含み、
前記選局制御部が前記第１のチューナ部を制御して視聴対象の物理チャンネルの選局を行っているときに、前記受信可否判定部が前記第２のチューナ部を制御して前記チャンネルスキャンを行うことを特徴とする請求項２または請求項２を引用する請求項３から１８のいずれか１項に記載のデジタル放送受信装置。
【請求項２０】
移動体に搭載され、デジタル放送で送信される物理チャンネルの放送信号を受信するチューナ部を備えるデジタル放送受信装置の情報更新方法であって、
前記チューナ部で受信された放送信号の信号強度を検出する信号強度検出ステップと、
前記移動体の現在位置を検出する現在位置検出ステップと、
前記移動体の移動方向を検出する移動方向検出ステップと、
前記チューナ部を制御して前記物理チャンネルの受信可否を判定する受信可否判定ステップと、
前記受信可否判定ステップで前記物理チャンネルが受信可能と判定された場合に、前記信号強度検出ステップで検出された現在位置における放送信号の信号強度に基づいて延長距離を決定し、前記現在位置検出ステップで検出された現在位置から前記移動方向検出ステップで検出された移動方向に前記延長距離だけ離れた位置を受信可能位置として決定し、前記物理チャンネルの受信可能エリアを示す受信可能エリア情報を、当該受信可能エリア情報で示される前記物理チャンネルの受信可能エリアが前記受信可能位置まで拡大するように更新するエリア情報更新ステップと
を含むことを特徴とする情報更新方法。
【手続補正２】
【補正対象書類名】明細書
【補正対象項目名】０００８
【補正方法】変更
【補正の内容】
【０００８】
本発明に係るデジタル放送受信装置は、移動体に搭載されるデジタル放送受信装置であって、デジタル放送で送信される物理チャンネルの放送信号を受信するチューナ部と、前記チューナ部で受信された放送信号の信号強度を検出する信号強度検出部と、前記移動体の現在位置を検出する現在位置検出部と、前記移動体の移動方向を検出する移動方向検出部と、前記チューナ部を制御して前記物理チャンネルの受信可否を判定する受信可否判定部と、前記物理チャンネルの受信可能エリアを示す受信可能エリア情報を記憶するエリア情報記憶部と、前記受信可否判定部により前記物理チャンネルが受信可能と判定された場合に、前記信号強度検出部で検出された現在位置における放送信号の信号強度に基づいて延長距離を決定し、前記現在位置検出部で検出された現在位置から前記移動方向検出部で検出された移動方向に前記延長距離だけ離れた第１の位置を受信可能位置として決定し、前記エリア情報記憶部に記憶されている受信可能エリア情報を、当該受信可能エリア情報で示される前記物理チャンネルの受信可能エリアが前記受信可能位置まで拡大するように更新するエリア情報更新部とを有することを特徴とする。
【手続補正３】
【補正対象書類名】明細書
【補正対象項目名】０００９
【補正方法】変更
【補正の内容】
【０００９】
また、本発明に係る情報更新方法は、移動体に搭載され、デジタル放送で送信される物理チャンネルの放送信号を受信するチューナ部を備えるデジタル放送受信装置の情報更新方法であって、前記チューナ部で受信された放送信号の信号強度を検出する信号強度検出ステップと、前記移動体の現在位置を検出する現在位置検出ステップと、前記移動体の移動方向を検出する移動方向検出ステップと、前記チューナ部を制御して前記物理チャンネルの受信可否を判定する受信可否判定ステップと、前記受信可否判定ステップで前記物理チャンネルが受信可能と判定された場合に、前記信号強度検出ステップで検出された現在位置における放送信号の信号強度に基づいて延長距離を決定し、前記現在位置検出ステップで検出された現在位置から前記移動方向検出ステップで検出された移動方向に前記延長距離だけ離れた位置を受信可能位置として決定し、前記物理チャンネルの受信可能エリアを示す受信可能エリア情報を、当該受信可能エリア情報で示される前記物理チャンネルの受信可能エリアが前記受信可能位置まで拡大するように更新するエリア情報更新ステップとを含むことを特徴とする。